(57)【要約】      （修正有）【課題】ユーザーが指定した任意の時刻における移動体の位置を知ることが可能な表示装置、表示装置の制御方法およびプログラムを提供する。【解決手段】車載装置１は、目的地を取得する目的地取得部１２０と、目的地取得部１２０により取得した目的地までの誘導経路を探索する経路探索部１３０と、経路探索部１３０により探索した誘導経路上における１または複数の任意の地点について、推定到達時刻を算出する算出部１４０と、時刻を指定する時刻操作部１５０と、算出部１４０の算出結果に基づいて、時刻操作部１５０により指定された時刻における車両の位置を、誘導経路上に表示する表示制御部１６０と、を備える。【選択図】図２
2019124694.tif 000002
【特許請求の範囲】
【請求項１】
移動体の移動経路上における１または複数の任意の地点について、推定到達時刻を算出する算出部と、
時刻を指定する操作部と、
前記算出部の算出結果に基づいて、指定された前記時刻における前記移動体の位置を地図上の前記移動経路上に表示する表示制御部と、を備え、
前記表示制御部は、前記操作部により指定された時刻における前記移動体の位置が前記地図を表示する画面の表示範囲内におさまるように、前記地図の縮尺を変更することを特徴とする表示装置。
【発明の詳細な説明】
【技術分野】
【０００１】
本発明は、移動体の位置を移動経路上に表示する表示装置、表示装置の制御方法およびプログラムに関する。
【背景技術】
【０００２】
従来、この種の技術として、特許文献１が提案されている。特許文献１には、車両が分岐点に接近したとき、道路交通情報に基づいて分岐点以降の各経路を利用した場合の目的地までの所要時間を算出し、その算出結果に基づいて最適な経路を選択するナビゲーションシステムが開示されている。このように、特許文献１によれば、分岐点の手前で道路交通情報を取得することにより、車両の現在位置を基準とした適切な範囲の道路交通情報に基づいて所要時間を算出できるため、結果的に最適な経路を選択できる、といった効果を奏する。
【先行技術文献】
【特許文献】
【０００３】
【特許文献１】特開２００５−１８９０５６号公報
【発明の概要】
【発明が解決しようとする課題】
【０００４】
ところで、ナビゲーションシステムの利用目的として、特許文献１のように最適な経路を選択したいといったニーズ以外に、目的地や経由地の到達予定時刻を知りたいといったニーズがある。この到達予定時間をユーザーに通知する技術は、特許文献１に開示されたナビゲーションシステムに限らず、既存のナビゲーションシステムにより既に実現されている。ところが、その逆引きとなる、「任意の時刻○○：○○に車両（移動体）がどこに位置するのか」について知るための技術は、未だ提案されていない。
【０００５】
本発明は、上記の問題点に鑑み、ユーザーが指定した時刻における移動体の位置を知ることが可能な表示装置、表示装置の制御方法およびプログラムを提供することを目的とする。
【課題を解決するための手段】
【０００６】
本発明の表示装置は、移動体の移動経路上における１または複数の任意の地点について、推定到達時刻を算出する算出部と、時刻を指定する操作部と、算出部の算出結果に基づいて、指定された時刻における移動体の位置を地図上の移動経路上に表示する表示制御部と、を備え、表示制御部は、操作部により指定された時刻における移動体の位置が地図を表示する画面の表示範囲内におさまるように、地図の縮尺を変更することを特徴とする。
上記の表示装置において、表示制御部は、操作部により指定された開始時刻における移動体の位置と、操作部により指定された終了時刻における移動体の位置と、が画面の表示範囲内におさまるように、地図の縮尺を変更することを特徴とする。
上記の表示装置において、操作部は、現在時刻を基準として、未来および過去の時刻を指定可能であることを特徴とする。
上記の表示装置において、操作部は、連続的に指定値が変化する操作子を用いて時刻を指定し、表示制御部は、操作部の操作に伴って移動体の位置を移動させることを特徴とする。
上記の表示装置において、操作子は、時間軸上に沿って指定時刻を示す所定のマークを移動させるタイムコントロールバーであり、表示制御部は、地図およびタイムコントロールバーを、同一画面に表示することを特徴とする。
上記の表示装置において、表示制御部は、地図上に移動体の周辺情報を表示することを特徴とする。
上記の表示装置において、目的地を取得する目的地取得部と、目的地取得部により取得した目的地までの誘導経路を探索する経路探索部と、をさらに備え、算出部は、経路探索部により探索した誘導経路を、移動経路として推定到達時刻を算出することを特徴とする。
上記の表示装置において、算出部は、移動体の移動経路周辺の道路情報を考慮して、推定到達時刻を算出することを特徴とする。
上記の表示装置において、移動体の走行履歴を記憶する記憶部をさらに備え、算出部は、未来における移動体の推定到達時刻を算出し、表示制御部は、未来における移動体の位置を、算出部の算出結果に基づいて表示し、過去における移動体の位置を、走行履歴に基づいて表示することを特徴とする。
本発明の表示装置の制御方法は、表示装置が、移動体の移動経路上における１または複数の任意の地点について、推定到達時刻を算出する算出ステップと、指定された時刻を取得する操作ステップと、算出ステップの算出結果に基づいて、指定された時刻における移動体の位置を地図上の移動経路上に表示する表示制御ステップと、を実行し、表示制御ステップは、操作ステップにて指定された時刻における移動体の位置が地図を表示する画面の表示範囲内におさまるように、地図の縮尺を変更することを特徴とする。
本発明のプログラムは、コンピューターに、上記の表示装置の制御方法における各ステップを実行させることを特徴とする。
なお、以下の構成としても良い。
本発明の表示装置は、移動体の移動経路上における１または複数の任意の地点について、推定到達時刻を算出する算出部と、算出部の算出結果に基づいて、指定された時刻における移動体の位置を移動経路上に表示する表示制御部と、を備えたことを特徴とする。
【０００７】
上記の表示装置において、時刻を指定する操作部をさらに備えたことを特徴とする。
【０００８】
上記の表示装置において、操作部は、現在時刻を基準として、未来および過去の時刻を指定可能であることを特徴とする。
【０００９】
上記の表示装置において、操作部は、連上記の表示装置において、続的に指定値が変化する操作子を用いて時刻を指定し、表示制御部は、操作部の操作に伴って移動体の位置を移動させることを特徴とする。
【００１０】
上記の表示装置において、表示制御部は、地図上に、操作部により指定された時刻における移動体の位置と、当該移動体の周辺情報と、を表示することを特徴とする。
【００１１】
上記の表示装置において、操作子は、時間軸上に沿って指定時刻を示す所定のマークを移動させるタイムコントロールバーであり、表示制御部は、地図およびタイムコントロールバーを、同一画面に表示することを特徴とする。
【００１２】
上記の表示装置において、目的地を取得する目的地取得部と、目的地取得部により取得した目的地までの誘導経路を探索する経路探索部と、をさらに備え、算出部は、経路探索部により探索した誘導経路を、移動経路として推定到達時刻を算出することを特徴とする。
【００１３】
上記の表示装置において、算出部は、移動体の移動経路周辺の道路情報を考慮して、推定到達時刻を算出することを特徴とする。
なお、道路情報とは、渋滞情報、交通規制情報、制限速度情報、各車両の走行情報などを指す。
【００１４】
上記の表示装置において、移動体の走行履歴を記憶する記憶部をさらに備え、算出部は、未来における移動体の推定到達時刻を算出し、表示制御部は、未来における移動体の位置を、算出部の算出結果に基づいて表示し、過去における移動体の位置を、走行履歴に基づいて表示することを特徴とする。
【００１５】
本発明の表示装置の制御方法は、移動体の移動経路上における１または複数の任意の地点について、推定到達時刻を算出する算出ステップと、算出ステップの算出結果に基づいて、指定された時刻における移動体の位置を移動経路上に表示する表示制御ステップと、を実行することを特徴とする。
【００１６】
本発明のプログラムは、コンピューターに、上記の表示装置の制御方法における各ステップを実行させることを特徴とする。
【図面の簡単な説明】
【００１７】
【図１】車載装置のハードウェア構成を示すブロック図である。
【図２】車載装置の機能構成を示すブロック図である。
【図３】算出部の説明図である。
【図４】タッチパネルに表示される経路誘導画面の表示例を示す図である。
【図５】図３の状態から、タイムコントロールバーを操作した後の経路誘導画面の表示例を示す図である。
【図６】第１実施形態の変形例に係る車載装置の機能構成を示すブロック図である。
【図７】第２実施形態に係る経路誘導画面の表示例（施設情報を表示した場合）を示す図である。
【図８】図７の状態から、指定時刻を変更した後の経路誘導画面の表示例を示す図である。
【図９】第２実施形態に係る経路誘導画面の表示例（渋滞情報を表示した場合）を示す図である。
【図１０】図９の状態から、指定時刻を変更した後の経路誘導画面の表示例を示す図である。
【発明を実施するための形態】
【００１８】
以下、本発明の表示装置、表示装置の制御方法およびプログラムについて説明する。以下の各実施形態では、表示装置として、車両（移動体）に搭載されて用いられる車載装置１を例示する。
【００１９】
［第１実施形態］
図１は、車載装置１のハードウェア構成を示すブロック図である。車載装置１は、ＧＰＳ（Global  Positioning  System）受信機１１、自立航法センサー１２、地図データベース（以下、「地図ＤＢ」と記載する）１３、ネットワーク通信部１４、制御部１５、タッチパネル１６およびスピーカー１７を備える。
【００２０】
なお、車載装置１は、車両出荷後に後付する所謂カーナビゲーション装置であっても良いし、車両制御システムに組み込まれたものであっても良い。また、スマートフォンなどの携帯端末を車両に設置することにより、カーナビゲーション装置として機能させても良い。さらに、タッチパネル１６およびスピーカー１７は、車載装置１と必ずしも一体である必要はなく、車載装置１とは独立した構成でも良い。
【００２１】
ＧＰＳ受信機１１は、ＧＰＳ衛星２０からＧＰＳ情報（現在位置を示す位置情報および現在時刻を示す時刻情報を含む）を受信する。自立航法センサー１２は、角度センサーおよび距離センサーから成り（いずれも、図示省略）、ＧＰＳ受信機１１との組み合わせにより、車両位置を特定するために用いられる。地図ＤＢ１３は、経路誘導を行うための地図データを記憶する。本実施形態において、当該地図データは、各道路の制限速度情報、交通規制情報（時間帯に応じた通行規制、一方通行など）を含む。
【００２２】
ネットワーク通信部１４は、不図示の無線中継器を介して、インターネット等のネットワーク上に構築された情報提供サーバー３０と通信を行う。本実施形態では、主に道路交通情報（渋滞情報、工事等による一時的な交通規制情報など）の受信に用いる。なお、地図データに含まれる制限速度情報および交通規制情報、並びに情報提供サーバー３０から取得する道路交通情報を、以下「道路情報」と総称する。
【００２３】
制御部１５は、ＣＰＵ（Central  Processing  Unit）１５ａ、ＲＯＭ（Read  Only  Memory）１５ｂおよびＲＡＭ（Random  Access  Memory）１５ｃから成る。ＣＰＵ１５ａは、中央処理装置であり、各種演算処理を行う。本実施形態では、主に図４および図５に示すような経路誘導画面の表示制御を行う。詳細については、後述する。ＲＯＭ１５ｂは、ＣＰＵ１５ａが各種演算処理を行うための制御プログラムおよび制御データを記憶する。また、ＲＡＭ１５ｃは、ＣＰＵ１５ａが各種演算処理を行う際のワークエリアとして用いられる。タッチパネル１６は、図４および図５に示すような経路誘導画面の他、各種設定画面を表示する。スピーカー１７は、音声による経路案内情報を出力する。
【００２４】
なお、地図ＤＢ１３を情報提供サーバー３０に設け、地図データおよびその更新データを、ネットワーク通信部１４を介して受信しても良い。また、ＲＯＭ１５ｂの制御プログラムを、当該情報提供サーバー３０で実行させても良い。つまり、クラウドコンピューティング技術を用いて車載装置１を動作させても良い。
【００２５】
次に、図２を参照し、車載装置１の機能構成について説明する。車載装置１は、主な機能構成として、目的地設定部１１０、目的地取得部１２０、経路探索部１３０、算出部１４０、時刻操作部１５０（操作部）および表示制御部１６０を備える。
【００２６】
目的地設定部１１０は、ユーザーがタッチパネル１６を操作することにより目的地を設定する。目的地取得部１２０は、目的地設定部１１０により設定された目的地を取得する。経路探索部１３０は、現在地を出発地として、目的地取得部１２０により取得した目的地までの誘導経路（移動経路）を探索する。なお、経路探索部１３０は、地図ＤＢ１３および情報提供サーバー３０から取得した道路情報、並びにユーザーが不図示の設定画面にて予め設定した探索条件（有料道路優先、道幅優先など）を考慮して、誘導経路を探索する。
【００２７】
算出部１４０は、経路探索部１３０により探索した誘導経路上における１または複数の任意の地点（以下、「１以上の任意地点」と称する）について推定到達時刻を算出する。図３（ａ）は、出発地にて（目的地設定時に）算出処理を行った場合の算出部１４０による算出結果の一例を示す図である。この場合、出発地（「地点０」）を始点とし、目的地まで所定距離間隔で任意地点を設定していく。同図の例では、「地点＋１」〜「地点＋４」の４つの任意地点が設定されている。算出部１４０は、これら４つの任意地点について推定到達時刻を算出する。「推定到達時刻」とは、車両が各任意地点に到達する（各任意地点を通過する）と推定される時刻を意味する。つまり同図において、「０：３０」，「０：５０」，「１：２０」，「１：４０」は、それぞれ「地点＋１」〜「地点＋４」の推定到達時刻を示している。また、算出部１４０は、これらの任意地点に加え、目的地の推定到達時刻を算出する。同図に示す「２：００」は、目的地の推定到達時刻である。なお、算出部１４０は、地図ＤＢ１３および情報提供サーバー３０から取得した誘導経路周辺の道路情報を考慮して、各推定到達時刻を算出する。
【００２８】
図３（ｂ）は、経路誘導の途中で算出処理を行った場合の、過去の任意地点に関する算出結果の一例を示す図である。経路誘導の途中で算出処理を行った場合も、現在地から目的地までの算出処理は、図３（ａ）と同様である。一方、過去の任意地点については、現在地（「地点０」）を始点とし、過去に遡って出発地まで所定距離間隔で任意地点を設定していく。同図の例では、「地点−１」〜「地点−３」の３つの任意地点が設定されている。算出部１４０は、それら３つの任意地点について推定到達時刻を算出する。なお、過去における「推定到達時刻」とは、車両が各任意地点に到達した（各任意地点を通過した）と推定される時刻を意味する。同図において、「１１：３０」，「１１：１０」，「１０：４０」は、それぞれ「地点−１」〜「地点−３」の推定到達時刻を示している。なお、出発地については、経路誘導の開始時刻となる（「１０：００」）。この経路誘導の開始時刻については、経路誘導の開始時にＲＡＭ１５ｃ内に記憶された情報である。算出部１４０は、過去の任意地点について、誘導経路周辺の道路情報の他、経路誘導の開始時刻を考慮して、各推定到達時刻を算出する。
【００２９】
図２の説明に戻る。時刻操作部１５０は、ユーザーが経路誘導画面に含まれるタイムコントロールバー画面４１ｂ（タイムコントロールバー）で操作を行うことにより時刻を指定する。また、表示制御部１６０は、算出部１４０の算出結果に基づいて、時刻操作部１５０により指定された時刻における車両の位置を経路誘導画面に含まれる地図画面に表示する。ここで、経路誘導画面の構成について説明する。
【００３０】
図４は、タッチパネル１６に表示された経路誘導画面の一例を示す図である。経路誘導画面は、画面上部４１と画面下部４２から成り、画面下部４２は、地図画面を表示する。表示制御部１６０は、この地図画面に、誘導経路６１を色付き線で示すと共に、当該誘導経路６１上に、車両の現在位置を示すマーク（以下、「車両現在位置Ｐ１」と称する）を表示する。また、表示制御部１６０は、同じく誘導経路６１上に、時刻操作部１５０により指定された時刻に到達すると推定される車両の位置を示すマーク（以下、「車両推定位置Ｐ３」と称する）を表示する（図５参照。図４では、表示範囲外となるため図示されていない）。また、誘導経路６１は、有料道路部分とそれ以外の道路を異なる色で表示する。同図において、符号６１ａは有料道路部分を示す。
【００３１】
一方、画面上部４１は、その左側に現在日時画面４１ａが配置され、右側にタイムコントロールバー画面４１ｂが配置される。現在日時画面４１ａは、ＧＰＳ衛星２０から受信したＧＰＳ情報に含まれる時刻情報に基づいて、現在日時を表示する。また、タイムコントロールバー画面４１ｂは、時間軸５１に、時刻を示す目盛りが付され、三角形で示す４種類のマーク（マークＭ０〜Ｍ３）が配置される。マークＭ０は出発時刻、マークＭ１は現在時刻、マークＭ２は目的地推定到着時刻、マークＭ３は指定時刻を意味している。また、時間軸５１には、有料道路の通過推定時間帯を示す色付きバー５１ａが重畳表示される。時刻操作部１５０は、マークＭ３を時間軸５１に沿って（図示左右方向に）移動させることにより、時刻を指定する。なお、マークＭ３は、経路誘導開始時においては、出発時刻を示す位置（マークＭ０と同位置）に配置されている（図４参照）。
【００３２】
図５は、タイムコントロールバー画面４１ｂの操作に伴う車両推定位置Ｐ３の変化を示す図である。例えば、マークＭ３が点線で示す位置から実線で示す位置まで矢印７１の方向に移動されると（ドラッグ操作されると）、その操作に伴い、車両推定位置Ｐ３が誘導経路６１に沿って徐々に移動していく。つまり、点線で示す車両推定位置Ｐ３から実線で示す車両推定位置Ｐ３まで、時間軸５１上におけるマークＭ３の移動量（移動速度）に応じて、車両推定位置Ｐ３が変化する。
【００３３】
このように、ユーザーは、タイムコントロールバー画面４１ｂでマークＭ３を移動させることにより、任意の時刻を指定する。なお、時刻の指定は、マークＭ１で示す現在時刻を基準として、未来および過去の時刻を指定可能である。本実施形態では、出発時刻（図４，図５のマークＭ０参照）から目的地推定到着時刻（図４，図５のＭ２参照）の範囲で時刻指定が可能である。
【００３４】
以上説明した通り、第１実施形態によれば、ユーザーが指定した時刻における車両の位置（車両推定位置Ｐ３）を地図画面上に表示するため、ユーザーは「任意の時刻○○：○○に車両がどこに位置するのか」を知ることができる。また、タイムコントロールバー画面４１ｂの操作により時刻の指定が可能であるため、細かい分解能で（連続的に）、車両推定位置Ｐ３の位置変化を確認することができる。
【００３５】
なお、以下の変形例を採用可能である。図６は、第１実施形態の変形例に係る車載装置１の機能構成を示すブロック図である。本変形例に係る車載装置１は、上記の実施形態の機能構成（図２参照）に、記憶部１７０を追加した構成である。記憶部１７０は、車両（移動体）の走行履歴を、車載装置１の所定の記憶領域（ＲＡＭ１５ｃなど）に記憶する。ここで、「走行履歴」は、間欠的に記録された車両の位置を示す情報を指す。「間欠的」とは、定期的（所定の時間間隔）であっても良いし、所定の距離間隔であっても良い。また、車両の走行状態に基づく所定の条件（車両の停車や急なハンドル操作など）を満たす場合に、車両の位置を記録する構成でも良い。なお、所定の記憶領域は、新しいデータの記録に伴って古いデータが順次消去されていく方式である。
【００３６】
一方、本変形例の算出部１４０は、未来における車両の推定到達時刻を算出する。つまり、過去における車両の推定到達時刻は算出しない。また、本変形例の表示制御部１６０は、未来における車両の位置を、上記の実施形態と同様に算出部１４０の算出結果に基づいて表示し、過去における車両の位置を、記憶部１７０に記憶された走行履歴に基づいて表示する。このように、本変形例によれば、実際の走行履歴に基づいて、過去における車両の位置を経路誘導画面に表示するため、正確な情報をユーザーに知らせることができる。なお、「過去における車両の位置」は、出発地から現在地以前までを対象として表示しても良いし、出発地に関わらず現在地以前で所定の記憶領域の記憶容量が許す範囲を対象として表示しても良い。
【００３７】
また、上記の実施形態の目的地取得部１２０は、目的地設定部１１０により設定された目的地を取得したが、携帯端末等で設定された目的地を取得しても良い。この場合、経路探索部１３０は、携帯端末等で設定された出発地から目的地までの誘導経路を探索すれば良い。また、算出部１４０は、出発地から目的地までの誘導経路上における１以上の任意地点、または現在地から目的地までの誘導経路上における１以上の任意地点について、推定到達時刻を算出すれば良い。
【００３８】
また、上記の実施形態の算出部１４０は、出発地〜現在地の範囲で、過去の任意地点を設定したが、出発地に関わらず出発地以前も含めて過去の任意地点を設定しても良い。この場合、現在地から所定距離前の車両の位置〜現在地までの範囲で設定しても良いし、現在時刻から所定時間前の時刻における車両の位置〜現在地までの範囲で設定しても良い。
【００３９】
また、上記の実施形態の算出部１４０は、誘導経路上に所定距離間隔で設定した１以上の任意地点について推定到達時刻を算出したが、必ずしも等間隔でなくても良い。例えば、渋滞区間や車両通行規制区間が存在する場合その開始点と終了点を任意地点とする、渋滞区間や車両通行規制区間については区間内に設定する任意地点の数を多くする、各道路の制限速度に応じて任意地点の間隔を可変する、などが考えられる。
【００４０】
また、上記の実施形態の算出部１４０は、車両の誘導経路周辺の道路情報を考慮して推定到達時刻を算出したが、当該道路情報に各車両の走行情報を含めても良い。ここで、「各車両の走行情報」とは、情報提供サーバー３０と通信可能な車両から得られる走行情報を指す。情報提供サーバー３０は、走行情報提供システムと提携した各車両から走行情報（車両の位置、走行経路、走行速度など）を随時受信することで、渋滞や交通規制の有無を判別し、渋滞情報や通行規制情報として各車両（車載装置１）に提供する。このように、各車両の走行情報を考慮して推定到達時刻を算出することで、信頼性の高い算出結果が期待できる。
【００４１】
また、上記の実施形態の時刻操作部１５０は、タイムコントロールバー画面４１ｂを用いて時刻を指定したが、その他の「連続的に指定値が変化する操作子」を用いても良い。「連続的に指定値が変化する操作子」の例としては、ボタンの押下継続時間によって指定値が変化するもの、つまみの回転量に応じて指定値が変化するもの、などが考えられる。
【００４２】
また、「連続的に指定値が変化する操作子」以外にも、例えば数値入力や複数候補の中からの選択によって時刻を指定しても良い。また、タッチパネル１６を操作子として用いるのではなく、車載装置１に搭載された他の操作子（物理的に設けられた操作子を含む）、または車載装置１と別体として設けられた操作子を用いても良い。後者については、車載装置１に付属されたリモートコントローラー、または通信機能（赤外線通信機能、短距離無線通信機能など）および車載装置１の制御機能を搭載した携帯端末などが考えられる。
【００４３】
また、上記の実施形態の表示制御部１６０は、地図上に示された誘導経路６１上に車両の位置（車両推定位置Ｐ３）を表示したが、必ずしも地図を表示する必要はない。例えば、地図を省略し、誘導経路６１を簡易的に示した線図上に車両の位置を示しても良い。また、必ずしも目的地までの誘導経路６１上に車両の位置を表示する必要はなく、何らかの条件により定まる車両の移動経路上に車両の位置を表示しても良い。つまり、必ずしも目的地を設定する必要はない。この場合の「何らかの条件」とは、車両の進行方向、過去の走行履歴、ユーザー設定（有料道路優先など）等である。例えば、車両の進行方向から、その車両が移動可能な幾つかの経路を特定し、ユーザーによる時刻の指定に伴ってそれら全ての経路上に車両の位置を表示しても良い。また、過去の走行履歴を記憶しておき、その車両の通行頻度が高い経路を自動的に選択して、選択した経路上に車両の位置を表示しても良い。また、有料道路優先などのユーザー設定にしたがって車両の移動経路を自動的に選択し、選択した経路上に車両の位置を表示しても良い。
【００４４】
また、上記の実施形態では、図５に示した通り、マークＭ３の操作による車両推定位置Ｐ３の移動が、画面下部４２（地図画面）の表示範囲内である場合、地図画面をスクロールしなかったが、車両推定位置Ｐ３の移動に伴って（例えば、車両推定位置Ｐ３が常に地図画面の中央に位置するように）、地図画面のスクロールを行っても良い。
【００４５】
また、マークＭ３の操作量に応じて、地図画面の縮尺を自動変更しても良い。例えば、地図画面が詳細表示されている場合、マークＭ３の操作量が大きくなると画面スクロール量が多くなり視認性を妨げるため、地図画面の縮尺を上げて広範囲表示とし、画面スクロール量を少なくしても良い。また、画面スクロールが不要となるように縮尺を決定しても良い。つまり、車両推定位置Ｐ３の移動開始点と移動終了点が地図画面の表示範囲内に収まる最小の縮尺としても良い。
【００４６】
［第２実施形態］
次に、図７〜図１０を参照し、本発明の第２実施形態について説明する。上記の第１実施形態では、指定時刻における車両の位置を表示したが、本実施形態では、車両の周辺情報を表示する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００４７】
本実施形態に係る車載装置１は、第１実施形態の機能構成（図２参照）と同様の構成であるため、図示を省略する。但し、本実施形態の表示制御部１６０は、算出部１４０の算出結果に基づいて、時刻操作部１５０（操作部）により指定された時刻における車両（移動体）の位置と、当該車両の周辺情報と、を表示する。また、時刻操作部１５０の操作（タイムコントロールバー画面４１ｂにおけるマークＭ３の操作）に伴って車両の位置（車両推定位置Ｐ３）を移動させると共に当該車両の周辺情報を変化させる。また、本実施形態の表示制御部１６０は、タッチパネル１６に周辺情報を表示させるための表示データ（後述する施設アイコンの画像データを含む）を、情報提供サーバー３０から取得する。
【００４８】
なお、周辺情報とは、施設情報（飲食店、小売店、駐車場、レジャー施設など）、渋滞情報、天気情報等を指す。ここで、施設情報および渋滞情報の表示制御について、具体例を挙げて説明する。図７および図８は、施設情報の表示例を示す図である。両図では、施設情報として施設アイコン８１〜８４を表示している。
【００４９】
図７の例は、タイムコントロールバー画面４１ｂにてマークＭ３が１０：３０付近を指定しており（車両推定位置Ｐ３が地図画面の画面右側に位置しており）、４つの施設アイコン８１〜８４のうち３つの施設アイコン８１〜８３を色付き表示し、施設アイコン８４を白抜き表示している。ここで、色付き表示は、施設がクローズ状態であること（営業時間外、閉園時間、定休日など）を意味する。特に本実施形態では、定休日の場合（１日中クローズ状態である場合）、その旨のメッセージ情報８３ａを吹き出し表示する。また、白抜き表示は、施設がオープン状態であること（営業時間内、開園時間など）を意味する。
【００５０】
図８は、タイムコントロールバー画面４１ｂにてマークＭ３が、１１：３０付近を指定する位置まで移動されたときの表示例を示している。この状態では、車両推定位置Ｐ３が地図画面の画面左側に位置し、４つの施設アイコン８１〜８４のうち施設アイコン８３を色付き表示し、施設アイコン８１，８２，８４を白抜き表示している。つまり、図７に示す状態と比較し、施設アイコン８１，８２が色付き表示から白抜き表示に変化している。これは、１０：３０の時点では、施設アイコン８１，８２に対応する施設がクローズ状態であったが、１１：３０の時点ではオープン状態に変化したことを意味する。なお、各施設アイコン８１，８２の表示形態が変化するタイミングは、マークＭ３が図７に示す位置から図８に示す位置まで移動する間において、マークＭ３の指定時刻が各施設アイコン８１，８２に対応する施設のオープン開始時間を過ぎた時である。
【００５１】
なお、図７および図８の例では、施設情報を、各施設を示すアイコンにより表示したが、施設名や施設紹介等の文字情報をアイコン付近に表示しても良い。また、各施設の識別子をアイコンに付して表示し、地図画面の別領域にて各識別子と共に詳細情報を表示しても良い。
【００５２】
また、施設アイコンのオープン／クローズは、白抜き／色付き表示以外に、表示色、アイコン形状などアイコンの表示形態を変化させたり、補足メッセージの内容を変化させたりすることによって区別しても良い。
【００５３】
また、図７および図８の例では、地図画面（画面下部４２）の表示範囲の全て（施設アイコン８１〜８４の全て）を指定時刻における車両（車両推定位置Ｐ３）の周辺情報として変化させたが、車両の周辺情報の範囲を絞っても良い。例えば、図７の例では、施設アイコン８３，８４を非表示または通常表示（指定時刻によって変化しない表示）とし、図８の例では、施設アイコン８１を非表示または通常表示とする、などの表示制御が考えられる。
【００５４】
また、車両推定位置Ｐ３の移動に伴って地図画面がスクロールする構成の場合は、その車両推定位置Ｐ３と共に地図画面に表示される範囲を、車両の周辺情報としても良い。つまりこの場合は、地図画面に表示される全範囲が車両の周辺情報となる。
【００５５】
続いて、図９および図１０を参照し、渋滞情報の表示制御について説明する。両図では、渋滞情報として渋滞区間９１，９２を表示している。なお、渋滞情報は、リアルタイムに計測された道路交通情報を情報提供サーバー３０から定期的に受信することにより表示する。図９の例は、タイムコントロールバー画面４１ｂにてマークＭ３が１０：３０付近を指定しており（車両推定位置Ｐ３が地図画面の画面右側に位置しており）、渋滞区間９１を実線で表示し、渋滞区間９２を点線で表示している。ここで、実線表示は、渋滞度が高いことを意味し、点線表示は、渋滞度が低いことを意味する。渋滞度は、渋滞の長さ、単位時間あたりの走行距離、渋滞の種類（事故渋滞、工事渋滞など）に応じて定まる。
【００５６】
図８は、タイムコントロールバー画面４１ｂにてマークＭ３が、１１：３０付近を指定する位置まで移動されたときの表示例を示している。この状態は、図９に示す状態と比較すると、渋滞区間９１が実線表示から点線表示に変化し、渋滞区間９２が非表示となっている。これは、渋滞区間９１の渋滞度が下がり、渋滞区間９２の渋滞が解消されたことを意味する。
【００５７】
なお、図９および図１０の例では、渋滞区間９１，９２の区間長さの変更はなかったが、区間長さが変更となる場合もある。また、マークＭ３が移動している間に、渋滞区間９１，９２の点線／実線表示が変化したり、区間長さが伸縮したりすることも考えられる。
【００５８】
また、図９および図１０の例では、リアルタイムの道路交通情報に基づいて渋滞情報を表示したが、渋滞予測情報に基づいて渋滞情報を表示しても良い。
【００５９】
また、渋滞度および渋滞区間（渋滞長さ）の違いは、点線／実線表示以外に、表示色、線の太さなどの表示形態を変化させたり、補足メッセージの内容を変化させたりすることによって区別しても良い。また、渋滞度は、２段階に限らず、さらに多段階で区別しても良い。
【００６０】
また、渋滞度および渋滞区間を、タイムコントロールバー画面４１ｂに表示しても良い。この場合、渋滞区間に入る時刻から渋滞区間を抜ける時刻まで、渋滞区間を示す渋滞区間バーを時間軸５１に沿って表示すれば良い。また、当該渋滞区間バーの表示形態も、地図画面に表示される渋滞情報に合わせて（マークＭ３の位置に応じて）可変される。
【００６１】
また、図９，図１０の例においても、車両の周辺情報の範囲を絞ったり、車両推定位置Ｐ３の移動に伴って地図画面がスクロールする構成にも適用したりできる点は、施設情報の場合と同様である。
【００６２】
以上説明した通り、第２実施形態によれば、ユーザーが指定した時刻における車両の位置とその周辺情報を地図上に表示するため、ユーザーは「車両が誘導経路上にある任意の施設に到達する時刻に、その施設がオープンしているのか否か」を知ることができる。また、タイムコントロールバー画面４１ｂの操作により時刻の指定が可能であるため、細かい分解能で（連続的に）、車両推定位置Ｐ３の周辺情報を確認することができる。
【００６３】
なお、上記の実施形態では、周辺情報としてタッチパネル１６に表示するための表示データを取得したが、スピーカー１７から出力するための音声データを取得しても良い。つまり、マークＭ３の操作に伴って周辺情報を音声案内しても良い。例えば、「指定時刻に○○店がオープンしました。」、「指定時刻では、○○から××まで△ｋｍの渋滞が発生しています。」などの音声案内が考えられる。
【００６４】
また、上記の実施形態では、情報提供サーバー３０から周辺情報を取得したが、車載装置１内に格納されているデーターベース（図示省略）から周辺情報を取得しても良い。
【００６５】
また、上記の実施形態では、マークＭ３を未来の方向に向かって移動させた場合を例示したが、過去の方向に向かって移動させても良い。また、マークＭ３を、マークＭ０、マークＭ１またはマークＭ２の位置に揃えることで、出発地、現在位置（車両現在位置Ｐ１）または目的地の周辺情報を表示させることもできる。
【００６６】
また、上記の実施形態では、周辺情報として天気情報を表示する場合の説明を省略したが、天気情報についても、マークＭ３の移動に伴って、その表示が変化する。天気情報の表示方法としては、各天気とその範囲を示す色付きフィルター（晴：赤、曇：グレー、雨：青など）を、地図上の予報地域に重畳表示することが考えられる。また、過去の天気情報については、実際の天気を反映し、未来の天気情報については、天気予報（情報提供サーバー３０から取得した天気予測情報）を反映する。
【００６７】
以上、２つの実施形態を示したが、各実施形態に示した車載装置１の各構成要素をプログラムとして提供することが可能である。また、そのプログラムを各種記録媒体（ＣＤ−ＲＯＭ、フラッシュメモリー等）に格納して提供することも可能である。すなわち、コンピューターを車載装置１の各構成要素として機能させるためのプログラム、およびそれを記録した記録媒体も、本発明の権利範囲に含まれる。
【００６８】
また、上記の実施形態では、本発明の表示装置を車載装置１に適用した場合を例示したが、スマートフォンや携帯電話などの他の情報端末に適用しても良い。また、車両の誘導案内を行うのではなく、人など他の移動体の誘導案内を行う場合に、本発明を適用しても良い。その他、本発明の要旨を逸脱しない範囲で、適宜変更が可能である。
【符号の説明】
【００６９】
１：車載装置  １１：ＧＰＳ受信機  １２：自立航法センサー  １３：地図ＤＢ  １４：ネットワーク通信部  １５：制御部  １６：タッチパネル  １７：スピーカー  ２０：ＧＰＳ衛星  ３０：情報提供サーバー  ４１：画面上部  ４１ａ：現在日時画面  ４１ｂ：タイムコントロールバー画面  ４２：画面下部  ５１：時間軸  ５１ａ：色付きバー  ６１：誘導経路  ８１〜８４：施設アイコン  ８３ａ：メッセージ情報  ９１，９２：渋滞区間  １１０：目的地設定部  １２０：目的地取得部  １３０：経路探索部  １４０：算出部  １５０：時刻操作部  １６０：表示制御部  １７０：記憶部  Ｐ１：車両現在位置  Ｐ３：車両推定位置
【図１】
2019124694.tif 000003
【図２】
2019124694.tif 000004
【図３】
2019124694.tif 000005
【図４】
2019124694.tif 000006
【図５】
2019124694.tif 000007
【図６】
2019124694.tif 000008
【図７】
2019124694.tif 000009
【図８】
2019124694.tif 000010
【図９】
2019124694.tif 000011
【図１０】
2019124694.tif 000012